(57)【要約】      （修正有）【課題】検索性や拡張性に優れた乗物の部品の分類情報を提供可能な分類情報掲載紙を提供する。【解決手段】分類情報掲載紙は、乗物の部品を分類別に分けるために設定された分類コードと、分類コードによって特定される分類の名称と、を示す分類情報が、部品の種類毎に掲載され、分類には、大分類と、大分類を細分化した中分類と、中分類を細分化した小分類と、が含まれ、それぞれの分類情報は、大分類、中分類及び小分類の各々の分類コード（大分類コード３１、中分類コード３３、小分類コード３５）と、各々の分類コードによって特定される名称（大分類名称３２、中分類名称３４、小分類名称３６）と、を有する。【選択図】図２
0003222172.tif 000002
【実用新案登録請求の範囲】
【請求項１】
乗物の部品を分類別に分けるために設定された分類コードと、前記分類コードによって特定される分類の名称と、を示す分類情報が、前記部品の種類毎に掲載された分類情報掲載紙であって、
前記分類には、大分類と、前記大分類を細分化した中分類と、前記中分類を細分化した小分類と、が含まれており、
それぞれの前記分類情報は、前記大分類、前記中分類及び前記小分類の各々の前記分類コードと、各々の前記分類コードによって特定される名称と、を有することを特徴とする分類情報掲載紙。
【請求項２】
前記分類情報は、前記小分類を細分化したサブ分類の前記分類コードと、前記サブ分類の名称と、を更に有することを特徴とする請求項１に記載の分類情報掲載紙。
【請求項３】
それぞれの前記分類情報は、前記大分類と前記中分類を統合した統合分類の前記分類コードと、前記統合分類の名称と、を更に有し、
前記統合分類の前記分類コードをなす文字数は、前記大分類の前記分類コードをなす文字数と前記中分類の前記分類コードをなす文字数との和よりも小さいことを特徴とする請求項１又は２に記載の分類情報掲載紙。
【請求項４】
前記統合分類の前記分類コードは、複数のアルファベットにより表されることを特徴とする請求項３に記載の分類情報掲載紙。
【請求項５】
所定のソート順序に従って前記分類情報が掲載されていることを特徴とする請求項１乃至４のいずれかに記載の分類情報掲載紙。
【請求項６】
前記大分類、前記中分類、及び前記小分類のそれぞれのコードの番号順に従って、前記分類情報が掲載されていることを特徴とする請求項５に記載の分類情報掲載紙。
【請求項７】
前記大分類と前記中分類についてはコードの番号順に従い、前記小分類については名称の辞書式順序に従って、前記分類情報が掲載されていることを特徴とする請求項５に記載の分類情報掲載紙。
【請求項８】
前記大分類の前記分類コードは、３桁の数字からなり、
前記３桁の数字のうち３桁目は乗物の種類を示し、
前記３桁の数字のうち２桁目は乗物の部分を示し、乗物の前方から後方の順序で番号が設定されることを特徴とする請求項１乃至７のいずれかに記載の分類情報掲載紙。
【請求項９】
前記中分類の前記分類コードは、３桁の数字からなり、
前記３桁の数字のうち３桁目は乗物の種類を示し、
前記３桁の数字のうち１桁目と２桁目は乗物の部分を示し、乗物の前方から後方の順序で番号が設定されることを特徴とする請求項１乃至８のいずれかに記載の分類情報掲載紙。
【請求項１０】
前記小分類の前記分類コードは、５桁の数字からなり、
前記５桁の数字のうち５桁目は前記部品の取り付け位置を示し、
前記５桁の数字のうち４桁目は前記部品の品目を示し、
前記５桁の数字のうち１〜３桁目は、乗物の部分を示し、乗物の前方から後方の順に番号が設定されることを特徴とする請求項１乃至９のいずれかに記載の分類情報掲載紙。
【請求項１１】
請求項１乃至１０のいずれかに記載の分類情報掲載紙を複数有する分類情報掲載冊子。
【考案の詳細な説明】
【技術分野】
【０００１】
本考案は、乗物の部品の分類情報を掲載した分類情報掲載紙及び分類情報掲載冊子に関する。
【背景技術】
【０００２】
車両を構成する部品に対しては車両メーカーから提供される部品のコード表に基づいて部品を特定することが一般的である。しかしながら、車両メーカーごとにコードの付与体系が異なるため、各種メーカーの車両を扱う場合には、部品のコードの管理が非常に煩雑となってしまう。
【０００３】
これに対して、特許文献１に記載の考案では、車両メーカーごとに異なるコード付与体系を統一したコード体系で扱うための統一部品コードを利用することを提案している。
【先行技術文献】
【特許文献】
【０００４】
【特許文献１】登録実用新案第３００２６７０号公報
【考案の概要】
【考案が解決しようとする課題】
【０００５】
しかしながら、上記の従来技術においては、部品のコードを車両の部位ごとに分けて設定しているものの、部品のコードに規則性がなく、部品の検索に手間が掛かっていた。また、上記の従来技術に係るコードは、標準的には４桁の数字で表されるものであり、拡張性の点でも課題があった。
【０００６】
本考案は上記の課題に鑑みてなされたものであり、その目的は、検索性や拡張性に優れた乗物の部品の分類情報を提供可能な分類情報掲載紙及び分類情報掲載冊子を提供することにある。
【課題を解決するための手段】
【０００７】
上記課題は、本考案に係る分類情報掲載紙によれば、乗物の部品を分類別に分けるために設定された分類コードと、前記分類コードによって特定される分類の名称と、を示す分類情報が、前記部品の種類毎に掲載された分類情報掲載紙であって、前記分類には、大分類と、前記大分類を細分化した中分類と、前記中分類を細分化した小分類と、が含まれており、それぞれの前記分類情報は、前記大分類、前記中分類及び前記小分類の各々の前記分類コードと、各々の前記分類コードによって特定される名称と、を有することにより解決される。
上記の分類情報掲載紙によれば、乗物の部品に対して階層化された分類情報を付与することができる。そして、部品に付与された分類情報から、部品の階層化された分類を認識することができる。これにより、乗物の部品に付与される分類情報の検索性、拡張性を向上できる。
【０００８】
上記の分類情報掲載紙において、前記分類情報は、前記小分類を細分化したサブ分類の前記分類コードと、前記サブ分類の名称と、を更に有するとよい。
こうすることで、乗物の部品の分類をより細分化することができる。これにより、乗物の部品に対してより適切な分類情報を付与することができる。
【０００９】
上記の分類情報掲載紙において、それぞれの前記分類情報は、前記大分類と前記中分類を統合した統合分類の前記分類コードと、前記統合分類の名称と、を更に有し、前記統合分類の前記分類コードをなす文字数は、前記大分類の前記分類コードをなす文字数と前記中分類の前記分類コードをなす文字数との和よりも小さいとよい。
こうすることで、より短い文字数で分類情報を表現可能となる。これにより、分類情報を取り扱いやすくなる。
【００１０】
上記の分類情報掲載紙において、前記統合分類の前記分類コードは、複数のアルファベットにより表されるとよい。
こうすることで、分類コードから乗物の部品の内容を想起しやすくなる。
【００１１】
上記の分類情報掲載紙において、所定のソート順序に従って前記分類情報が掲載されているとよい。
こうすることで、分類情報掲載紙に掲載された分類情報から所望の分類情報を探しやすくなる。
【００１２】
上記の分類情報掲載紙において、前記大分類、前記中分類、及び前記小分類のそれぞれのコードの番号順に従って、前記分類情報が掲載されているとよい。
こうすることで、コードの番号に従って所望の分類情報を探しやすくなる。
【００１３】
上記の分類情報掲載紙において、前記大分類と前記中分類についてはコードの番号順に従い、前記小分類については名称の辞書式順序に従って、前記分類情報が掲載されているとよい。
こうすることで、コードの番号で大まかな分類を検索し、詳細な分類については名称に基づいて検索することで、所望の分類情報を探しやすくなる。
【００１４】
上記の分類情報掲載紙において、前記大分類の前記分類コードは、３桁の数字からなり、前記３桁の数字のうち３桁目は乗物の種類を示し、前記３桁の数字のうち２桁目は乗物の部分を示し、乗物の前方から後方の順序で番号が設定されるとよい。
こうすることで、大分類の分類コードから部品が取り付けられる乗物の種類、部位を認識可能となる。
【００１５】
上記の分類情報掲載紙において、前記中分類の前記分類コードは、３桁の数字からなり、前記３桁の数字のうち３桁目は乗物の種類を示し、前記３桁の数字のうち１桁目と２桁目は乗物の部分を示し、乗物の前方から後方の順序で番号が設定されるとよい。
こうすることで、中分類の分類コードから部品が取り付けられる乗物の種類、部位を認識可能となる。
【００１６】
上記の分類情報掲載紙において、前記小分類の前記分類コードは、５桁の数字からなり、前記５桁の数字のうち５桁目は前記部品の取り付け位置を示し、前記５桁の数字のうち４桁目は前記部品の品目を示し、前記５桁の数字のうち１〜３桁目は、乗物の部分を示し、乗物の前方から後方の順に番号が設定されるとよい。
こうすることで、小分類の分類コードから部品が取り付けられる位置、品目、部位を認識可能となる。
【００１７】
また、上記課題は、本考案に係る分類情報掲載冊子によれば、上記の分類情報掲載紙を複数有することにより解決される。
上記の分類情報掲載冊子によれば、乗物の部品に対して付与された分類情報の一覧を確認することができる。
【考案の効果】
【００１８】
本考案によれば、検索性や拡張性に優れた乗物の部品の分類情報を提供できる。
【図面の簡単な説明】
【００１９】
【図１】本実施形態に係る分類情報掲載冊子を示す図である。
【図２】分類情報掲載冊子に掲載される分類コード表の一例を示す図である。
【図３】大分類の内容を説明する図である。
【図４】中分類の内容を説明する図である。
【図５】小分類の内容を説明する図である。
【図６】サブ分類の内容を説明する図である。
【図７】統合分類の内容を説明する図である。
【図８】分類情報掲載冊子に掲載される分類情報のインデックスの一例を示す図である。
【図９】分類情報掲載冊子に掲載される分類コード表の変形例を示す図である。
【図１０】分類情報掲載冊子に掲載される分類情報のインデックスの変形例を示す図である。
【考案を実施するための形態】
【００２０】
以下、図１乃至図１０を参照しながら、本考案の一実施形態（本実施形態）に係る分類情報掲載紙を紙面１０として有する分類情報掲載冊子１について説明する。
また、以下で説明する紙面１０のデザイン及び当該紙面１０に表示される情報については、あくまでも一例に過ぎず、適宜変更することが可能である。
【００２１】
＜分類情報掲載冊子１の構成＞
図１には、分類情報掲載冊子１の一例を示す。分類情報掲載冊子１は、分類情報掲載紙を複数有するものである。具体的には、分類情報掲載冊子１は、それぞれ分類情報が掲載された複数の紙面１０が綴じられた冊子である。より詳細には、それぞれの紙面１０には、乗物の部品を分類別に分けるために設定された分類コードと、分類コードによって特定される分類の名称と、を示す分類情報が、部品の種類毎に掲載されている。
【００２２】
本実施形態では、上記の「乗物」が自動車である場合を例として説明するが、自動車以外の列車、飛行機、船舶等の乗物の部品に関する分類情報に対しても本考案は同様に適用可能である。
上記の「部品」とは、乗物の一部を構成する物である。
上記の「分類」とは、部品を１以上のグループに分けたときの各グループに相当する。
上記の「分類コード」とは、分類を識別する識別情報である。例えば、「分類コード」は複数の桁からなる数字、又は複数の文字、又はそれらを組み合わせて構成することとしてよい。
上記の「分類の名称」とは、分類の内容を示すテキスト（文字列）情報である。
【００２３】
図１に示されるように、分類情報掲載冊子１の見開きの紙面１０には、分類情報を記載した分類コード表２０が掲載される。また、分類情報掲載冊子１には、分類コード表２０が掲載された紙面１０の他に、インデックス２６が掲載された紙面１０が含まれる。ここでは、まず分類コード表２０の内容について説明する。
【００２４】
＜分類コード表２０の構成＞
図２には、分類コード表２０の一例を示す。図２に示されるように、分類コード表２０には、部品コード情報３０、サブコード情報４０、第１識別コード５０、第２識別コード６０及び統合分類名称６２の情報が含まれる。
【００２５】
部品コード情報３０は、部品の品目を特定するための情報である。具体的には、部品コード情報３０は、大分類コード３１、大分類名称３２、中分類コード３３、中分類名称３４、小分類コード３５、小分類名称３６を含む。
【００２６】
本実施形態では、部品の分類には、大分類と、大分類を細分化した中分類と、中分類を細分化した小分類と、が含まれている。そして、部品の分類情報は、大分類、中分類及び小分類の各々の分類コードと、各々の分類コードによって特定される名称と、を有する。
以下、大分類、中分類、小分類のそれぞれの詳細について説明する。
【００２７】
図３には、大分類の大分類コード３１と大分類名称３２の一覧である大分類一覧表２１を示す。なお、大分類一覧表２１は、分類情報掲載冊子１に含まれていてもよいし、含まれていなくともよい。
【００２８】
図３に示されるように、大分類コード３１は、３桁の数字からなる。なお、以下において、３桁の数字をＡＢＣとすると、３桁目の数字とは「Ａ」に相当し、２桁目の数字とは「Ｂ」に相当し、１桁目の数字とは「Ｃ」に相当する。
【００２９】
本実施形態では、大分類コード３１の３桁目（先頭の数字）は、乗物の種類を示す。例えば、乗物が「自動車系」である場合には、大分類コード３１の３桁目を「１」とし、乗物が「船舶系」である場合には、大分類コード３１の３桁目を「２」とする。
そして、大分類コード３１の２桁目は、乗物の部分を示し、乗物の前方から後方の順序で番号が設定される。すなわち、乗物の前方の部位よりも後方の部位にかけて番号が大きくなる。
なお、大分類コード３１の１桁目は、任意に利用可能である。例えば、大分類コード３１の１桁目と２桁目からなる２桁の数字を乗物の部分を示す用途に用いてもよい。
【００３０】
図４には、中分類の中分類コード３３と中分類名称３４の一覧である中分類一覧表２２を示す。
図４に示されるように、中分類は、大分類を１以上の分類に細分化したものである。すなわち、１つの大分類に対して、１以上の中分類が含まれる。
【００３１】
図４に示されるように、中分類コード３３は、３桁の数字からなる。
ここで、中分類コード３３の３桁目（先頭の数字）は、乗物の種類を示す。例えば、乗物が「自動車系」である場合には、中分類コード３３の３桁目を「１」とし、乗物が「船舶系」である場合には、中分類コード３３の３桁目を「２」とする。
そして、中分類コード３３の１桁目と２桁目は、乗物の部分を示し、乗物の前方から後方の順序で番号が設定される。すなわち、乗物の前方の部位よりも後方の部位にかけて番号が大きくなる。
【００３２】
図５には、小分類の小分類コード３５と小分類名称３６の一覧である小分類一覧表２３を示す。
図５に示されるように、小分類は、中分類を１以上の分類に細分化したものである。すなわち、１つの中分類に対して、１以上の小分類が含まれる。
【００３３】
図５に示されるように、小分類コード３５は、５桁の数字からなる。なお、以下において、５桁の数字をａｂｃｄｅとすると、５桁目の数字とは「ａ」に相当し、４桁目の数字とは「ｂ」に相当し、３桁目の数字とは「ｃ」に相当し、２桁目の数字とは「ｄ」に相当し、１桁目の数字とは「ｅ」に相当する。
【００３４】
本実施形態では、小分類コード３５の５桁目（先頭の数字）は、乗物における部品の取り付け位置を示す。例えば、「位置設定なし」を「１」、「右」を「２」、「左」を「３」、「前」を「４」、「後」を「５」に対応させる。
また、小分類コード３５の４桁目は、部品の品目を示す。例えば、自動車の部品に関し「シリンダヘッド」、「ドライブシャフト」、「ディスクパッド」、「タイロッドエンド」、「フロントバンパ」等の品目にそれぞれ対応した数字を付与する。
そして、小分類コード３５の１桁目〜３桁目は、乗物の部分を示し、乗物の前方から後方の順序で番号が設定される。すなわち、乗物の前方の部位よりも後方の部位にかけて番号が大きくなる。
【００３５】
図６には、サブ分類のサブ分類コード４１とサブ分類名称４２の一覧であるサブ分類一覧表２４を示す。
図６に示されるように、サブ分類コード４１は、８桁の数字からなる。
サブ分類コード４１の８桁の数字は、２桁の数字を４つ組み合わせたものである。すなわち、サブ分類コード４１は、最大で４つの要素を表すことができる。
例えば、サブ分類コード４１を構成する４つのペアの数字は、右、左、前、後等の位置に対応する。一例としては、「右」を「２０」、「前」を「４０」に対応させる。このとき「右、前」は「２０４０００００」として表される。
【００３６】
そして、図２における第１識別コード５０は、部品コード情報３０に示す大分類コード３１、中分類コード３３及び小分類コード３５を結合することで生成される。すなわち、第１識別コード５０は、３桁の大分類コード３１、３桁の中分類コード３３、５桁の小分類コード３５を結合させた１１桁のコードとなる。
ここで、第１識別コード５０にさらにサブ分類コード４１を結合させることで、部品の分類コードは、最大１９桁（字）のコードとして表されることとなる。
【００３７】
次に、大分類コード３１と中分類コード３３との組み合わせに対応させた統合分類コード６１を用いた部品の分類コードの他の表記方法について説明する。
【００３８】
図７には、大分類コード３１と中分類コード３３の組み合わせに対応した統合分類コード６１及び統合分類名称６２の一覧である統合分類一覧表２５を示す。
図７に示されるように、統合分類コード６１は、アルファベット三文字により表される。図７に示される例では大分類コード３１、中分類コード３３がそれぞれ「１１０」、「１０１」である場合に、それに対応する統合分類コード６１は「ＥＮＧ」となる。この統合分類コード６１には、統合分類名称６２の略語等を用いることで、統合分類コード６１から部品のイメージを想起しやすくなる。
【００３９】
そして、図２における第２識別コード６０は、統合分類コード６１及び小分類コード３５を結合したコードである。すなわち、大分類コード３１と中分類コード３３に対応する統合分類コード６１と、小分類コード３５を結合することにより、第１識別コード５０と同等の分類コードを表現することができる。
なお、大分類コード３１と中分類コード３３のコードの文字数の和は６であるのに対し、統合分類コード６１の文字数は３である。すなわち、第１識別コード５０は最大で１９字のコードであるのに対し、第２識別コード６０は、最大で１６字のコードとなる。
【００４０】
分類情報掲載冊子１には、所定のソート順序に従って分類情報が掲載される。以下、分類情報の掲載順序について説明する。
まず、部品について大分類の大分類コード３１が小さい順に部品の分類情報が掲載される。そして、大分類コード３１が同じ部品については中分類コード３３が小さい順に部品の分類情報が掲載される。そして、中分類コード３３が同じ部品については小分類コード３５が小さい順に部品の分類情報が掲載される。
【００４１】
図８には、上記のソート順序において、分類情報掲載冊子１に掲載されるインデックス２６の一例を示す。
なお、図８に示す例は、分類情報を分類コードの数字が小さい順に並べた際のインデックス２６に相当する。
図８に示されるように、インデックス２６には、大分類コード３１、大分類名称３２に対して、分類コードの小さい順に並べたインデックス名７０が記載される。
このように、分類情報掲載冊子１には、分類コードの順序で部品の分類情報を掲載することで、部品の系統に分けて分類情報が掲載されることとなる。これにより、部品の分類情報の検索性を向上することができる。
【００４２】
＜変形例＞
次に、図９及び図１０を参照しながら、変形例に係る分類情報掲載冊子１について説明する。変形例に係る分類情報掲載冊子１では、分類情報のソート順序、すなわち掲載順序の点で上述した分類情報掲載冊子１と相違する。すなわち、変形例に係る分類情報掲載冊子１では、紙面１０には分類コード表２０に代えて分類コード表２０Ａを掲載する。
【００４３】
図９には、変形例に係る分類コード表２０Ａを示す。図９に示されるように、変形例に係る分類コード表２０Ａにおいても分類コード表２０と掲載される分類情報については変更がないが、掲載される分類情報の順序が相違する。
すなわち、分類コード表２０においては、第１のソートキーを大分類コード３１、第２のソートキーを中分類コード３３、第３のソートキーを小分類コード３５としている。そして、分類情報を、第１のソートキー、第２のソートキー、第３のソートキーの番号順に並べることとする。具体的には、分類情報を、第１のソートキーが小さい順に並べ、さらに第１のソートキーが同じものについては第２のソートキーが小さい順に並べ、さらに第２のソートキーが同じものについては第３のソートキーが小さい順に並べることとしている。
【００４４】
一方で、分類コード表２０Ａにおいては、第１のソートキーを大分類コード３１、第２のソートキーを中分類コード３３、第３のソートキーを小分類名称３６としている。そして、分類情報を、第１のソートキーが小さい順に並べ、さらに第１のソートキーが同じものについては第２のソートキーが小さい順に並べ、さらに第２のソートキーが同じものについては第３のソートキーを辞書式順序に並べることとしている。
なお、上記の「辞書式順序」とは、小分類名称３６が日本語で記載されている場合には五十音順、小分類名称３６がアルファベットで記載されている場合にはアルファベット順であってよい。また、小分類名称３６に日本語とアルファベットが混在している場合には、例えばアルファベット順又は五十音順のうちいずれかを優先して並べることとしてよい。
【００４５】
図１０には、変形例に係るインデックス２６Ａを示す。
図１０に示す例は、分類情報を小分類については小分類名称３６の辞書式順序で並べた際のインデックス２６Ａに相当する。
このように、分類情報掲載冊子１には、小分類については小分類名称３６の辞書式順序で部品の分類情報を掲載することで、部品の分類情報の検索性を向上することができる。
【００４６】
＜まとめ＞
以上説明した本実施形態に係る分類情報掲載紙（紙面１０）と分類情報掲載冊子１の主な特徴は以下の通りである。
［１］本実施形態に係る分類情報掲載紙（紙面１０）は、乗物の部品を分類別に分けるために設定された分類コードと、分類コードによって特定される分類の名称と、を示す分類情報が、部品の種類毎に掲載された分類情報掲載紙である。分類には、大分類と、大分類を細分化した中分類と、中分類を細分化した小分類と、が含まれており、それぞれの分類情報は、大分類、中分類及び小分類の各々の分類コード（大分類コード３１、中分類コード３３、小分類コード３５）と、各々の分類コードによって特定される名称（大分類名称３２、中分類名称３４、小分類名称３６）と、を有する。
上記の分類情報掲載紙によれば、乗物の部品に対して階層化された分類情報を付与することができる。そして、部品に付与された分類情報から、部品の階層化された分類を認識することができる。これにより、乗物の部品に付与される分類情報の検索性、拡張性を向上できる。
【００４７】
［２］上記の分類情報掲載紙において、分類情報は、小分類を細分化したサブ分類の分類コード（サブ分類コード４１）と、サブ分類の名称（サブ分類名称４２）と、を更に有する。
こうすることで、乗物の部品の分類をより細分化することができる。これにより、乗物の部品に対してより適切な分類情報を付与することができる。
【００４８】
［３］上記の分類情報掲載紙において、それぞれの分類情報は、大分類と中分類を統合した統合分類の分類コード（統合分類コード６１）と、統合分類の名称（統合分類名称６２）と、を更に有し、統合分類の分類コードをなす文字数は、大分類の分類コードをなす文字数と中分類の分類コードをなす文字数との和よりも小さい。
こうすることで、より短い文字数で分類情報を表現可能となる。これにより、分類情報を取り扱いやすくなる。
【００４９】
［４］上記の分類情報掲載紙において、統合分類の分類コードは、複数のアルファベットにより表される。
こうすることで、分類コードから乗物の部品の内容を想起しやすくなる。
【００５０】
［５］上記の分類情報掲載紙において、所定のソート順序に従って分類情報が掲載されている。
こうすることで、分類情報掲載紙に掲載された分類情報から所望の分類情報を探しやすくなる。
【００５１】
［６］上記の分類情報掲載紙において、大分類、中分類、及び小分類のそれぞれのコードの番号順に従って、分類情報が掲載されている。
こうすることで、コードの番号に従って所望の分類情報を探しやすくなる。
【００５２】
［７］上記の分類情報掲載紙において、大分類と中分類についてはコードの番号順に従い、小分類については名称の辞書式順序に従って、分類情報が掲載されている。
こうすることで、コードの番号で大まかな分類を検索し、詳細な分類については名称に基づいて検索することで、所望の分類情報を探しやすくなる。
【００５３】
［８］上記の分類情報掲載紙において、大分類の分類コードは、３桁の数字からなり、３桁の数字のうち３桁目は乗物の種類を示し、３桁の数字のうち２桁目は乗物の部分を示し、乗物の前方から後方の順序で番号が設定される。
こうすることで、大分類の分類コードから部品が取り付けられる乗物の種類、部位を認識可能となる。
【００５４】
［９］上記の分類情報掲載紙において、中分類の分類コードは、３桁の数字からなり、３桁の数字のうち３桁目は乗物の種類を示し、３桁の数字のうち１桁目と２桁目は乗物の部分を示し、乗物の前方から後方の順序で番号が設定される。
こうすることで、中分類の分類コードから部品が取り付けられる乗物の種類、部位を認識可能となる。
【００５５】
［１０］上記の分類情報掲載紙において、小分類の分類コードは、５桁の数字からなり、５桁の数字のうち５桁目は部品の取り付け位置を示し、５桁の数字のうち４桁目は部品の品目を示し、５桁の数字のうち１〜３桁目は、乗物の部分を示し、乗物の前方から後方の順に番号が設定される。
こうすることで、小分類の分類コードから部品が取り付けられる位置、品目、部位を認識可能となる。
【００５６】
［１１］また、本実施形態に係る分類情報掲載冊子１によれば、上記の分類情報掲載紙（紙面１０）を複数有する。
上記の分類情報掲載冊子１によれば、乗物の部品に対して付与された分類情報の一覧を確認することができる。
【００５７】
＜その他の実施形態＞
本考案は上記の実施形態に限定されるものではない。
例えば、上記の分類情報掲載冊子１においては見開きのページに分類コード表２０（分類コード表２０Ａ）を掲載することとしたが、見開きの左ページ、右ページのそれぞれに分類コード表２０（分類コード表２０Ａ）を掲載してもよい。
また、辞書のように、分類情報掲載冊子１を側方から見た場合の小口に大分類、中分類、又は統合分類のインデックスを印字してもよい。
【符号の説明】
【００５８】
１  分類情報掲載冊子
１０  紙面（分類情報掲載紙）
２０  分類コード表
２０Ａ  分類コード表
２１  大分類一覧表
２２  中分類一覧表
２３  小分類一覧表
２４  サブ分類一覧表
２５  統合分類一覧表
２６  インデックス
２６Ａ  インデックス
３０  部品コード情報
３１  大分類コード
３２  大分類名称
３３  中分類コード
３４  中分類名称
３５  小分類コード
３６  小分類名称
４０  サブコード情報
４１  サブ分類コード
４２  サブ分類名称
５０  第１識別コード
６０  第２識別コード
６１  統合分類コード
６２  統合分類名称
７０  インデックス名
【図１】
0003222172.tif 000003
【図２】
0003222172.tif 000004
【図３】
0003222172.tif 000005
【図４】
0003222172.tif 000006
【図５】
0003222172.tif 000007
【図６】
0003222172.tif 000008
【図７】
0003222172.tif 000009
【図８】
0003222172.tif 000010
【図９】
0003222172.tif 000011
【図１０】
0003222172.tif 000012
【手続補正書】
【提出日】令和1年5月7日(2019.5.7)
【手続補正１】
【補正対象書類名】実用新案登録請求の範囲
【補正対象項目名】全文
【補正方法】変更
【補正の内容】
【実用新案登録請求の範囲】
【請求項１】
乗物の部品を分類別に分けるために設定された分類コードと、前記分類コードによって特定される分類の名称と、を示す分類情報が、前記部品の種類毎に掲載された分類情報掲載紙であって、
前記分類には、大分類と、前記大分類を細分化した中分類と、前記中分類を細分化した小分類と、が含まれており、
それぞれの前記分類情報は、前記大分類、前記中分類及び前記小分類の各々の前記分類コードと、各々の前記分類コードによって特定される名称と、を有し、
前記大分類の分類コード及び名称と、該大分類を細分化した中分類の分類コード及び名称と、該中分類を細分化した小分類の分類コード及び名称とが、前記掲載紙の紙面上、該順序で横方向に並んで配置されて掲載されていることを特徴とする分類情報掲載紙。
【請求項２】
前記分類情報は、前記小分類を細分化したサブ分類の前記分類コードと、前記サブ分類の名称と、を更に有し、
前記サブ分類の分類コード及び名称が、対応する前記小分類の分類コード及び名称と、前記掲載紙の紙面上横方向に並んで配置されて掲載されていることを特徴とする請求項１に記載の分類情報掲載紙。
【請求項３】
それぞれの前記分類情報は、前記大分類と前記中分類を統合した統合分類の前記分類コードと、前記統合分類の名称と、を更に有し、
前記統合分類の分類コード及び名称が、対応する前記大分類及び前記中分類と、前記掲載紙の紙面上横方向に並んで配置されて掲載され、
前記統合分類の前記分類コードをなす文字数は、前記大分類の前記分類コードをなす文字数と前記中分類の前記分類コードをなす文字数との和よりも小さいことを特徴とする請求項１又は２に記載の分類情報掲載紙。
【請求項４】
前記統合分類の前記分類コードは、複数のアルファベットにより表されることを特徴とする請求項３に記載の分類情報掲載紙。
【請求項５】
所定のソート順序に従って前記分類情報が掲載されていることを特徴とする請求項１乃至４のいずれかに記載の分類情報掲載紙。
【請求項６】
前記大分類、前記中分類、及び前記小分類のそれぞれのコードの番号順に従って、前記分類情報が掲載されていることを特徴とする請求項５に記載の分類情報掲載紙。
【請求項７】
前記大分類と前記中分類についてはコードの番号順に従い、前記小分類については名称の辞書式順序に従って、前記分類情報が掲載されていることを特徴とする請求項５に記載の分類情報掲載紙。
【請求項８】
前記大分類の前記分類コードは、３桁の数字からなり、
前記３桁の数字のうち３桁目は乗物の種類を示し、
前記３桁の数字のうち２桁目は乗物の部分を示し、乗物の前方から後方の順序で番号が設定されることを特徴とする請求項１乃至７のいずれかに記載の分類情報掲載紙。
【請求項９】
前記中分類の前記分類コードは、３桁の数字からなり、
前記３桁の数字のうち３桁目は乗物の種類を示し、
前記３桁の数字のうち１桁目と２桁目は乗物の部分を示し、乗物の前方から後方の順序で番号が設定されることを特徴とする請求項１乃至８のいずれかに記載の分類情報掲載紙。
【請求項１０】
前記小分類の前記分類コードは、５桁の数字からなり、
前記５桁の数字のうち５桁目は前記部品の取り付け位置を示し、
前記５桁の数字のうち４桁目は前記部品の品目を示し、
前記５桁の数字のうち１〜３桁目は、乗物の部分を示し、乗物の前方から後方の順に番号が設定されることを特徴とする請求項１乃至９のいずれかに記載の分類情報掲載紙。
【請求項１１】
請求項１乃至１０のいずれかに記載の分類情報掲載紙を複数有する分類情報掲載冊子。